(57)【要約】【課題】本考案は、展開或いは折り畳みがしやすく、且つ複合的な用途に用いることができる、収納袋の展開折り畳み構造を提供する。【解決手段】本考案は、フレーム体と、袋体とからなる。前記フレーム体は、さらにコの字型を呈する第一フレーム及び第二フレームからなる。前記第一・二フレームの二つの自由端の間は、可動に結合されるとともに、互いに重なった状態に折り畳むことができる。前記袋体は、軟質の材料から作られるとともに、上端に開口が設けられ、且つ前記開口の周辺と前記第一・二フレームの下端が結合される。以上の構造により、フレーム体が展開すると同時に、袋体が広がって収納スペースを形成することができる。また、フレーム体が折り畳まれた時、同時に袋口も折り畳まれ、持ち運び収納袋として使用することができる。【選択図】図３
0003187577.tif 000002
【実用新案登録請求の範囲】
【請求項１】
フレーム体と、袋体とからなる、収納袋の展開折り畳み構造であって、
前記フレーム体は、コの字型を呈する第一フレーム及び第二フレームからなり、
前記第一・二フレームの二つの自由端の間は、折り畳んで重ねられるようにするため、可動に結合され、前記袋体上端には、開口が設けられ、
前記開口の周辺は、前記第一・二フレーム下端と結合されることを特徴とする、収納袋の展開折り畳み構造。
【請求項２】
前記第一・二フレームは、方形部品を彎曲させて成型され、
前記第一フレームの二つの自由端は、それぞれ連接部品の一端と枢接され、
二つの前記連接部品の他端は、それぞれ前記第二フレームの二つの自由端と枢接されることを特徴とする、請求項１に記載の収納袋の展開折り畳み構造。
【請求項３】
前記第一・二フレームは、円形管部品を彎曲させて成型され、
前記第一フレームの二つの自由端と前記第二フレームの二つの自由端の間には、それぞれヒンジが設けられることを特徴とする、請求項１に記載の収納袋の展開折り畳み構造。
【請求項４】
前記第一・二フレームは、さらに、対角両側にそれぞれ持ち紐が結合されることを特徴とする、請求項１から３のいずれかに記載の収納袋の展開折り畳み構造。
【考案の詳細な説明】
【技術分野】
【０００１】
本考案は、物品を収納する収納袋に関し、特に、展開或いは折り畳みがしやすく、且つ複合的な用途に用いることができる、収納袋の展開折り畳み構造に関する。
【背景技術】
【０００２】
体積を小さくし、しまいやすくするため、現在、既に多くの種類の従来型折り畳み式収納箱が存在している。例えば、従来における設計は、軟質の布地から作られた矩形の箱体からなり、前記箱体上端の四辺にそれぞれ上水平棒が設けられ、前記箱体下端の相対する両辺にそれぞれ下水平棒が設けられ、前記箱体における四つの垂直辺にそれぞれ立棒が設けられる。さらに、隣接する前記上水平棒の端部間、隣接する前記下水平棒の端部間、及び前記立棒と上・下水平棒の端部間には、適切な距離が保たれる。前記箱体の垂直壁面には、それぞれ対角に交差した折線が形成される。以上の構造に基づき、軟質の前記箱体は、前記立棒と前記上水平棒と前記下水平棒に支えられることにより、物品を入れるための収納箱を成すとともに、捻って扁平状に折り畳むことができる。
【０００３】
また、従来における改良型収納箱は、収納箱の箱体に蓋体が被せられ、前記箱体内の各角に直立した支え棒が設けられ、前記支え棒によって前記蓋体の四つの角が支えられる。
【０００４】
従来の収納箱は、部品が多く構造が複雑であるため、使用時に不便で扱いにくく、部品がなくなりやすいといった問題があり、且つ製造コストが高くなる。
【考案の概要】
【考案が解決しようとする課題】
【０００５】
そこで、本考案は、自由に展開或いは折り畳むことができ、構造が簡素で扱いが簡便であることにより、製造コストを下げるとともに大きな収納スペースを作り出し、且つ携帯に便利な収納袋、及び持ち運び収納袋として利用することができる、収納袋の展開折り畳み構造を提供することを目的とする。
【課題を解決するための手段】
【０００６】
本考案の展開折り畳みができる収納袋は、フレーム体と、袋体とからなる。このうち、前記袋体は、前記フレーム体下端と結合され、前記フレーム体は、折り曲げて畳むことができる。以上の構造により、前記フレーム体が折り畳まれると同時に、前記袋体もこれに併せて折り畳まれる。これにより、本考案の収納袋は持ち運び収納袋として使用することができ、前記フレーム体が展開した時、これに併せて前記袋体が展開して収納スペースを形成し、物品を収納することができる。
【０００７】
前述したように、本考案は、フレーム体と、袋体とからなる。このうち、前記フレーム体は、さらにコの字型を呈する第一フレーム及び第二フレームとからなる。前記第一・二フレームの二つの自由端の間は、可動に結合されるとともに、互いに重なった状態に折り畳むことができる。前記袋体は、軟質の材料から作られるとともに、上端に開口が設けられ、且つ前記開口の周辺と前記第一・二フレームの下端が結合される。
【０００８】
本考案の展開折り畳みが可能なフレーム体は、方形部品を彎曲させて成型された前記第一フレーム及び第二フレームからなるとともに、前記第一フレームの二つの自由端は、それぞれ連接部品の一端と枢接される。また、二つの前記連接部品の他端は、それぞれ前記第二フレームの二つの自由端と枢接される。以上の構造により、第一・二フレームを折り曲げた後、互いに対応させて重ね合わせることができる。
【０００９】
また、本考案の展開折り畳みが可能なフレーム体は、円形部品を彎曲させて成型された前記第一フレーム及び第二フレームからなるとともに、前記第一フレームの二つの自由端と前記第二フレームの二つの自由端の間には、それぞれヒンジが設けられる。以上の構造により、第一・二フレームを折り曲げた後、互いに対応させて重ね合わせることができる。
【００１０】
また、本考案の展開折り畳みが可能なフレーム体は、中実の棒体を彎曲させて成型された前記第一フレーム及び第二フレームからなるとともに、前記第一フレームの二つの自由端と前記第二フレームの相対する二つの自由端は互いに枢接される。これにより、第一・二フレームを折り曲げた後、互いに対応させて重ね合わせることができる。
【００１１】
取り扱いをより便利にし、且つ付加価値を高めるという考えに基づき、本考案は、前記第一・二フレームの対角両側に、それぞれ持ち紐が結合される。以上の構造により、展開した状態の収納袋を折り畳む時、前記持ち紐を上に引っ張るだけで、直接前記第一・二フレームを折り曲げて重なり合った状態に畳むと同時に、前記袋体の開口もこれに伴って折り畳むことができる。折り畳んだ収納袋は、前記持ち紐を肩に掛けて肩掛け式の持ち運び収納袋として使用することができる。
【００１２】
本考案の第一・二フレームは、竹材・木材・金属、或いは任意の適切な材料から作られる。
【図面の簡単な説明】
【００１３】
【図１】本考案の実施例１におけるフレーム体の構造を示した斜視図である。
【図１Ａ】図１のＡエリアを示した部分拡大図である。
【図２】図１のフレーム体を折り畳んだ後の状態を示した斜視概略図である。
【図３】本考案の実施例１において、フレーム体と袋体が組み合わされて形成された収納袋を示した斜視概略図である。
【図４】図３の収納袋を折り畳んだ後の状態を示した斜視概略図である。である。
【図５】本考案の実施例２におけるフレーム体の構造を示した斜視概略図である。
【図６】図５のフレーム体を折り畳んだ後の状態を示した斜視概略図である。である。
【図７】本考案の実施例２において、フレーム体と袋体が組み合わされて形成された収納袋を示した斜視概略図である。
【図８】図７の収納袋を折り畳んだ後の状態を示した斜視概略図である。
【図９】本考案の実施例３において、フレーム体と袋体が組み合わされて形成された収納袋を示した斜視概略図である。
【図１０】図９の収納袋を折り畳んだ後の状態を示した斜視概略図である。
【図１１】本考案において、フレーム体の対角両側に持ち紐が結合された実施例４を示した斜視概略図である。
【考案を実施するための形態】
【００１４】
（実施例１）
まず、図３を参照する。本考案による収納袋の実施例１は、フレーム体１と、袋体２とからなる。このうち、袋体２は、軟質の材料（例えば布地、或いは繊維素材）から作られるとともに、上端に開口が設けられ、且つ袋体２の開口周縁とフレーム体１下端が結合されて収納袋を構成する。
【００１５】
本考案において、袋体２と結合するフレーム体１は、複数の実施形態をなすことができる。このうち、図１、図１Ａに示した実施例は、方形部品を彎曲させて成型されるとともに、コの字型を呈する第一フレーム１１及び第二フレーム１２からなる。第一・二フレーム１１・１２の二つの自由端の間は、連接部品１３及び枢軸１４が組み合わされて可動に結合される。また、連接部品１３は、適度な長さを備えた棒体であり、その長さは大よそ第一フレーム１１、或いは第二フレーム１２の高さに相当する。よって、連接部品１３と第一・二フレーム１１・１２が可動に連接された後、第一フレーム１１と第二フレーム１２を折り畳んで重なった状態にすることができる（図２を参照）。
【００１６】
図１に示したフレーム体１と袋体２を結合した後、第一・二フレーム１１・１２を展開状態にした時、同時に袋体２の開口が開いて拡大する。これにより、使用者は、袋体２の開口から収納物品を入れる、或いは取り出すことができる（図３を参照）。収納袋を使用しない時は、フレーム体１の第一・二フレーム１１・１２を合わせて折り畳むだけで、袋体２の開口を同時に折り畳むことができる（図４を参照）
【００１７】
（実施例２）
図５は、本考案の実施例２におけるフレーム体１Ａの構造を示している。フレーム体１Ａは、円形管部品を彎曲させて成型されるとともに、コの字型を呈する第一フレーム１１Ａ及び第二フレーム１２Ａとからなる。第一・二フレーム１１Ａ・１２Ａの二つの自由端の間には、ヒンジ１５が設けられる（図６を参照）。また、ヒンジ１５は、二つの頭部と、二つの前記頭部の間に枢接された二つの連接棒とからなり、二つの前記頭部はそれぞれ第一フレーム１１Ａ及び第二フレーム１２Ａにおける円形管の内径中に組み合わされて固定され、二つの連接棒だけが管部品の外に露出することにより、第一フレーム１１Ａと第二フレーム１２Ａを折り畳んで重なった状態にすることができる（図６を参照）。なお、ヒンジ１５は、従来の機械部品であり、本考案が訴求する技術的特徴には当たらないため、ここではその構造についての詳述はしない。
【００１８】
図５に示したフレーム体１Ａと袋体２を結合した後、第一・二フレーム１１Ａ・１２Ａを展開状態にした時、同時に袋体２の開口が開いて拡大する。これにより、使用者は、袋体２の開口から収納物品を入れる、或いは取り出すことができる（図７を参照）。収納袋を使用しない時は、フレーム体１Ａの第一・二フレーム１１Ａ・１２Ａを合わせて折り畳むだけで、袋体２の開口を同時に折り畳むことができる（図８を参照）
【００１９】
（実施例３）
図９は、本考案の実施例３におけるフレーム体１Ｂの構造を示している。フレーム体１Ｂは、中実の棒体を彎曲させて成型されるとともに、コの字型を呈する第一フレーム１１Ｂ及び第二フレーム１２Ｂとからなる。第一・二フレーム１１Ｂ・１２Ｂの二つの自由端の間は、直接枢軸によって枢接されることにより、第一フレーム１１Ｂと第二フレーム１２Ｂを折り畳んで重なった状態にすることができる（図１０を参照）。また、図９に示した実施例において、第一・二フレーム１１Ｂ・１２Ｂの長辺は、さらに弧度を形成することにより、フレーム体１Ｂに前述と異なる造形を備えさせることができる。
【００２０】
図９に示したフレーム体１Ｂと袋体２を結合した後、第一・二フレーム１１Ｂ・１２Ｂが展開した状態の時、同時に袋体２の開口が開いて拡大する。これにより、使用者は、袋体２の開口から収納物品を入れる、或いは取り出すことができる。収納袋を使用しない時は、フレーム体１Ｂの第一・二フレーム１１Ｂ・１２Ｂを合わせて折り畳むだけで、袋体２の開口を同時に折り畳むことができる（図１０を参照）
【００２１】
（実施例４）
図１１に示した実施例は、取り扱いをより便利にし、且つ付加価値を高めるという考えに基づいている。本考案のフレーム体１における第一・二フレーム１１・１２の対角両側には、さらに持ち紐３が結合される。これにより、収納袋が展開した状態の時、持ち紐３は袋体２の開口上に斜めに跨るため、使用者が収納物品を入れる、或いは取り出す動作に影響を与えない。また、収納袋を折り畳む時は、持ち紐３を上に引っ張るだけで、直接第一・二フレーム１１・１２を合わせて折り畳むと同時に、袋体２もこれに伴って折り畳むことができる（図１１を参照）。
【符号の説明】
【００２２】
１            フレーム体
１Ａ   フレーム体
１Ｂ   フレーム体
１１   第一フレーム
１１Ａ 第一フレーム
１１Ｂ 第一フレーム
１２   第二フレーム
１２Ａ 第二フレーム
１２Ｂ 第二フレーム
１３   連接部品
１４   枢軸
１５   ヒンジ
２            袋体
３            持ち紐
【図１】
0003187577.tif 000003
【図１Ａ】
0003187577.tif 000004
【図２】
0003187577.tif 000005
【図３】
0003187577.tif 000006
【図４】
0003187577.tif 000007
【図５】
0003187577.tif 000008
【図６】
0003187577.tif 000009
【図７】
0003187577.tif 000010
【図８】
0003187577.tif 000011
【図９】
0003187577.tif 000012
【図１０】
0003187577.tif 000013
【図１１】
0003187577.tif 000014